(57)【要約】【課題】飼い主が屈むことなく犬の尻の下に差入れて糞を受ける糞受け具の長所を活かしつつ、少なくとも糞を処理していない時点では持ち歩きしても目立ち難い形態となるようにし、人目を気にすることなく携帯し易い糞受け具を提供する。【解決手段】外パイプ４に、この外パイプ４の長孔６から外方に突出する操作ノブ７を有した内パイプ５を出し入れ可能に収納し、操作ノブ７の長孔６に沿った移動操作により伸縮する支持パイプ２を備え、内パイプ５の先端に、一対の袋支持アームからなる袋支持部８を設けて、袋支持部８に柔軟な糞受け袋１０を着脱可能に取り付け、袋支持アーム９を閉じた袋支持部８と糞受け袋１０とが、内パイプ５とともに外パイプ４の内部に収納され、支持パイプ２の伸長時に袋支持部８が開いて糞受け袋１０の開口が展開されるようにした。【選択図】図１
0003138794.tif 000002
【実用新案登録請求の範囲】
【請求項１】
パイプ長さ方向に沿って長孔が開口された外パイプの内部に、前記長孔を通して前記外パイプの外方に突出する操作ノブを有した内パイプを、前記外パイプの一端から外パイプの内部に出し入れ可能に収納して、前記内パイプの操作ノブの長孔に沿った移動操作により伸縮する支持パイプを備え、
前記内パイプの送り出し方向での先端に、略ハ字状に開閉可能な一対の袋支持アームからなり前記アームそれぞれがアーム間開方向に付勢されている袋支持部を設けて、前記袋支持部に柔軟な糞受け袋を着脱可能に取り付けていて、
一対の袋支持アームを閉じた袋支持部と前記糞受け袋とが、外パイプに収納した内パイプとともに外パイプの内部に収納され、前記支持パイプの伸長時に前記袋支持部が開いて糞受け袋の開口が展開される構成としたことを特徴とする犬の糞受け具。
【考案の詳細な説明】
【技術分野】
【０００１】
本考案は犬の糞受け具に関するものである。
【背景技術】
【０００２】
従来から、犬が散歩中に行なう排便の処理を飼い主などが行ない易くするために、地面に落ちた糞をすくうシャベルタイプのものや、地面に落ちる前に犬の尻の下に差入れて糞を受けるようにした受け具などが各種提案されている。そして、犬の尻の下に差し入れるようにした糞受け具としては、棒状部材の先端を二股とし、その二股部分に開口が開いた状態で袋を取り付けたもの（特許文献１）、長尺な一対の棒材からなり離れた先端部分に袋を架け渡すようにして取り付けたもの（特許文献２）、複数の薄板を扇状に並べた糞受け部分を棒材の先端に設け、棒材より大径とした筒状カバーの内部に、薄板を纏めて細身とした糞受け部を引き入れておき、筒状カバーから糞受け部分を出すことでその糞受け部分が自動的に開くようにした用具（特許文献３）、一対のアームに糞受け袋を取り付けて前記アームと糞受け袋とを筒状のカバーに収納できるようにした用具（特許文献４）などが提案されている。
【特許文献１】実開昭５８−１３０４５６号公報
【特許文献２】実開平０６−００３０６０号公報
【特許文献３】実開平０６−０５７１５２号公報
【特許文献４】米国特許第４４６６６４７号公報
【考案の開示】
【考案が解決しようとする課題】
【０００３】
上述した糞受け具の内、犬の尻の下に差入れて糞を受けるようにしたタイプのものは、持ち手となる部分から糞を受ける部分までの長さが或る程度長く設けられていて、犬が排便動作を行ない始めるときに飼い主が屈み込むことなく立ったままで犬の尻の下側に差し入れた糞受け部分で糞を受け止めるようにすればよく、飼い主側の姿勢に無理を強いることがない。
しかしながら、このような或る程度の長さを有している糞受け具では、散歩中のまだ排便をしていない時点でも長い状態のまま持ち歩かなければならず、糞の処理用具を持ち歩きしながら犬を散歩させていることが他者から見られているかもしれないという飼い主側の羞恥心を増大させ易い。また、飼い主側のファンションと不釣り合いな用具形態となるという問題がある。
そこで本考案は上記事情に鑑み、飼い主が屈むことなく犬の尻の下に差入れて糞を受ける糞受け具の長所を活かしつつ、少なくとも糞を処理していない時点では持ち歩きしても目立ち難い形態となるようにすることを課題とし、人目を気にすることなく携帯し易い糞受け具を提供することを目的とするものである。
【課題を解決するための手段】
【０００４】
本考案は上記課題を考慮してなされたもので、パイプ長さ方向に沿って長孔が開口された外パイプの内部に、前記長孔を通して前記外パイプの外方に突出する操作ノブを有した内パイプを、前記外パイプの一端から外パイプの内部に出し入れ可能に収納して、前記内パイプの操作ノブの長孔に沿った移動操作により伸縮する支持パイプを備え、前記内パイプの送り出し方向での先端に、略ハ字状に開閉可能な一対の袋支持アームからなり前記アームそれぞれがアーム間開方向に付勢されている袋支持部を設けて、前記袋支持部に柔軟な糞受け袋を着脱可能に取り付けていて、一対の袋支持アームを閉じた袋支持部と前記糞受け袋とが、外パイプに収納した内パイプとともに外パイプの内部に収納され、前記支持パイプの伸長時に前記袋支持部が開いて糞受け袋の開口が展開される構成としたことを特徴とする犬の糞受け具を提供して、上記課題を解消するものである。
【考案の効果】
【０００５】
本考案によれば、支持パイプが、外パイプとこの外パイプの内部に出し入れ可能に収納される内パイプとから伸縮可能に設けられているので、雲の受けを行なわない時点では内パイプを袋支持部と糞受け袋とともに外パイプの内部に収納することで、糞受け具の全長が短かくなってコンパクトなものとなり、他者から見て糞受け具を携帯していることがわかり難くなる。また、犬が排便動作を行ない始めたときには支持パイプを伸長するだけで袋支持部が開いて糞受け袋の開口が展開されるため、手数を要することなく迅速に犬の尻の下側に糞受け袋を位置させることができて、使い勝手が良好になるという効果がある。
【考案を実施するための最良の形態】
【０００６】
つぎに本考案を図示の実施の形態に基づいて詳細に説明する。
図中１は犬の糞受け具で、該糞受け具１は全体形状を略棒状とした支持パイプ２を備えていて、図示するようにこの支持パイプ２は支持パイプ２の上端となる側をクリップ３とした外パイプ４と、この外パイプ４より小径にして外パイプ４の内部に収納できて前記グリップ３と対向する端部から出し入れ可能な内パイプ５とからなるものである。そして、外パイプ４にあってはパイプ長さ方向に沿って長孔６が開口され、この長孔６を通して外パイプ４の外方に突出する操作ノブ７が内パイプ５に連結されていて、前記操作ノブ７を長孔６に沿ってグリップ３側に移動操作することで内パイプ５が外パイプ４の内部に収納され、またグリップ３を長孔６に沿ってグリップ３側とは反対側に移動操作することで内パイプ５が外パイプ４からパイプ長さ方向に送り出されるように設けられており、操作ノブ７の移動操作によって支持パイプ２が伸縮可能に設けられているものである。
【０００７】
また、上記内パイプ５の送り出し方向での先端には袋支持部８が設けられていて、上記操作ノブ７をグリップ３側に最大限に引いて内パイプ５を外パイプ４に引き入れた収納状態としたときにこの内パイプ５とともに前記袋支持部８が外パイプ４の内部に収納されるようにしている。そして、前記袋支持部８は略ハ字状に開閉可能な一対の袋支持アーム９からなり、この袋支持アーム９は例えば比較的薄い鋼板製の板材として可撓性を有している。このように袋支持アーム９は可撓性を有していて、それぞれがアーム間開方向に付勢されて略ハ字状に開くことができるとともに、袋支持アーム９の弾性に抗して合掌状に合わせることができ、上述したように内パイプ５が外パイプ４の内部に引き入れられているときに外パイプ４の内壁に当接して近接状態となって収納され、また一方、内パイプ５が外パイプ４から送り出されたときには、一対の袋支持アーム９が略ハ字状に開くようになる。
【０００８】
さらに、上記袋支持部８には、柔軟な糞受け袋１０が着脱可能に取り付けていて、上記一対の袋支持アーム９それぞれを糞受け袋１０の上縁開口の近傍に形成された通し部１１を通すことで取り付けでき、一対の袋支持アーム９が開くことでその糞受け袋１０の開口が上方に向けて展開した状態となるようにしている。
糞受け袋１０自体は柔軟な素材からなるものであり、袋支持部８を閉じるとともに糞受け袋１０を小さく折り畳むことができ、上記内パイプ５を外パイプ４の内部に収納するとともに、閉じた袋支持部８と折り畳まれた糞受け袋１０とが外パイプ４の内部に収納できるようにしている。
【０００９】
このように外パイプ４の内部に内パイプ５と袋支持部８と糞受け袋１０とを収納した状態で上記支持パイプ２が縮小できるために外観がほぼ棒状となり、他者からは糞受け具として判断され難くなる。
また、犬が排便動作を行ない始めたときには、この支持パイプ２を上記操作のブ７を利用して伸長させるだけでに袋支持部８が開いて糞受け袋１０の開口が展開されるようになり、支持パイプ２自体が長尺な棒状物として伸びているため、開いた糞受け袋１０を取り付けた袋支持部８を犬の尻の下に差し入れる作業は、犬を連れた人が屈むなどの姿勢をすることなく簡単に行なえる。糞を受け止めた後は糞受け袋１０を袋支持部８から引き抜くようにして取り外せばよく、持参した他の収納袋などにその糞受け袋ごと収納すればよい。新たな糞受け袋を取り付ける場合は、袋支持部８の袋支持アーム９を多少狭めるなどしながら上記通し部に差し入れればよく、閉じた袋支持部８と折り畳むなどした新たな糞受け袋１０とともに内パイプ５を外パイプ４の内部に収納することで、コンパクトな棒状の形態を呈する糞受け具１となる。
【００１０】
上記外パイプ４における内パイプ出し入れ側のパイプ内に、袋支持部８と糞受け袋１０の出入りに支障を来たさない形状であって、内パイプ５の外周面に摺接可能に接してその内パイプ５が不用意に移動しないようにする制動体を設けることも可能である。
【図面の簡単な説明】
【００１１】
【図１】本考案に係る犬の糞受け具の一例において縮小した状態を示す説明図である。
【図２】同じく一例において伸長した状態を示す説明図である。
【符号の説明】
【００１２】
１…犬の糞受け具
２…支持パイプ
３…グリップ
４…外パイプ
５…内パイプ
６…長孔
７…操作ノブ
８…袋支持部
９…袋支持アーム
１０…糞受け袋
１１…通し部
【図１】
0003138794.tif 000003
【図２】
0003138794.tif 000004